(57)【要約】【課題】帯電ロールと感光体ドラムとの間に挟まれた保護シートを引き抜く際に生じる保護シートと感光体ドラムの画像形成領域との摩擦及び帯電ロールと感光体ドラムの画像形成領域との摩擦を低減する。【解決手段】保護シート２２が引き抜かれると、感光体ドラム１２へ加圧されている帯電ロール１４は、保護シート２２の保護部２４の移動に伴って従動する。一方、感光体ドラム１２は、クリーニングブレード１８の接触による摩擦抵抗力があるものの、サイドシール２０によって押し付けられた高摩擦部２６の移動に伴って従動する。これにより、保護シート２２、感光体ドラム１２及び帯電ロール１４の速度差の発生が抑制される。このため、帯電ロールと感光体ドラムとの間に挟まれた保護シートを引き抜く際に生じる保護シートと感光体ドラムの画像形成領域との摩擦及び帯電ロールと感光体ドラムの画像形成領域との摩擦を低減できる。【選択図】図８
2010197733.tif 000002
【特許請求の範囲】
【請求項１】
潜像保持体の外周面に接触する帯電部材とその潜像保持体との間に挿入可能とされ、前記潜像保持体の外周面に形成された画像形成領域を被覆可能な保護部と、
前記保護部の端部に連結され、前記潜像保持体の外周面に形成された非画像形成領域に押し付けられるための押付部と前記潜像保持体の非画像形成領域との間に挿入可能とされ、前記潜像保持体から引き抜かれる際の動摩擦力が前記保護部よりも高い高摩擦部と、
を備える保護シート。
【請求項２】
前記保護部は、その一端部において前記潜像保持体の画像形成領域を被覆する被覆幅が前記潜像保持体の周方向の一方にいくにつれて狭くなるように、前記潜像保持体を被覆可能とされている請求項１に記載の保護シート。
【請求項３】
画像が形成される画像形成領域と画像が形成されない非画像形成領域とが外周面に形成された潜像保持体と、
前記潜像保持体の外周面に接触し、前記潜像保持体の外周面を帯電可能な帯電部材と、
前記潜像保持体の非画像形成領域に押し付けられた押付部と、
前記帯電部材と前記潜像保持体との間に挿入され前記潜像保持体の画像形成領域を被覆する保護部と、前記保護部の端部に連結され前記押付部と前記潜像保持体の非画像形成領域との間に挿入され前記潜像保持体から引き抜かれる際の動摩擦力が前記保護部より高い高摩擦部と、を有し、前記潜像保持体の周方向に沿って引き抜き可能な保護シートと、
を備える画像形成ユニット。
【請求項４】
前記保護部の引き抜き方向下流側の端部は、前記潜像保持体の画像形成領域を被覆する被覆幅が引き抜き方向下流にいくにつれて狭くなる請求項３に記載の画像形成ユニット。
【請求項５】
前記保護部の引き抜き方向下流側の端部は、前記保護部が前記潜像保持体と前記帯電部材との間から前記潜像保持体の周方向に沿って引き抜かれるにつれて前記潜像保持体と前記帯電部材との接触幅が広くなる形状に形成されている請求項３又は請求項４に記載の画像形成ユニット。
【請求項６】
前記保護部の引き抜き方向下流端から前記高摩擦部の引き抜き方向下流端までの引き抜き方向長さは、前記潜像保持体と前記帯電部材との接触部の引き抜き方向上流端から前記潜像保持体と前記押付部との接触部の引き抜き方向上流端までの周長よりも長い請求項３〜５のいずれか１項に記載の画像形成ユニット。
【請求項７】
前記保護部が前記潜像保持体と前記帯電部材との間から引き抜かれた際においても、前記高摩擦部が前記押付部と前記潜像保持体の非画像形成領域との間に挿入される位置に配置されている請求項３〜６のいずれか１項に記載の画像形成ユニット。
【請求項８】
前記帯電部材は、前記潜像保持体に接触するロール部と、前記ロール部の軸方向両端部に設けられた軸部とを備えて構成され、
前記高摩擦部は、前記ロール部の軸方向幅よりも外側に対応する位置に配置されている請求項３〜７のいずれか１項に記載の画像形成ユニット。
【請求項９】
前記帯電部材は、前記潜像保持体に接触するロール部と、前記ロール部の軸方向両端部に設けられた軸部とを備えて構成され、
前記保護シートが前記潜像保持体の周方向に沿って引き抜かれた際に、前記高摩擦部が前記軸部と前記潜像保持体との間を通過する位置に配置されている請求項３〜８のいずれか１項に記載の画像形成ユニット。
【発明の詳細な説明】
【技術分野】
【０００１】
本発明は、保護シート及び画像形成ユニットに関する。
【背景技術】
【０００２】
保護シートとしては、特許文献１に開示されるプロセスキット保護材が公知である。特許文献１に開示されるプロセスキット保護材１は、黒紙等の黒色シート材を第一保護部材３とし、その第一保護部材３の感光体ドラム１３に対応する部分に、和紙等の比較的弾力性のあるものを素材とした第二保護部材４を上記第一保護部材３と一体化するように設けるとともに、上記第一保護部材３上部に把手部２が設けられているものである。
【０００３】
また、特許文献２には、保護シートを除去する除去方法が開示されている。特許文献２に開示される除去方法では、まず、感光体ドラム２１の表面を保護シート５１で被覆しておき、この感光体ドラム２１を装置本体に取り付けてから保護シート５１を除去する。
【０００４】
保護シート５１の片側に破線状に連続穴５５が設けられており、感光体ドラム２１を駆動する駆動モータからの駆動経路中の従動ギア５７に保護シート５１の連続穴５５を歯合させ、駆動モータの駆動により従動ギア５７を回転させて保護シート５１を排出除去する。
【先行技術文献】
【特許文献】
【０００５】
【特許文献１】特開平５−２５７４１２号公報（図１）
【特許文献２】特開平８−１１０７４４号公報（図１）
【発明の概要】
【発明が解決しようとする課題】
【０００６】
本発明は、帯電部材と潜像保持体との間に挟まれた保護シートを引き抜く際に生じる保護シートと潜像保持体の画像形成領域との摩擦及び帯電部材と潜像保持体の画像形成領域との摩擦を低減することを課題とする。
【課題を解決するための手段】
【０００７】
本発明の請求項１に係る保護シートは、潜像保持体の外周面に接触する帯電部材とその潜像保持体との間に挿入可能とされ、前記潜像保持体の外周面に形成された画像形成領域を被覆可能な保護部と、前記保護部の端部に連結され、前記潜像保持体の外周面に形成された非画像形成領域に押し付けられた押付部と前記潜像保持体の非画像形成領域との間に挿入可能とされ、前記潜像保持体から引き抜かれる際の動摩擦力が前記保護部よりも高い高摩擦部と、を備える。
【０００８】
本発明の請求項２に係る保護シートは、請求項１の構成において、前記保護部は、その一端部において前記潜像保持体の画像形成領域を被覆する被覆幅が前記潜像保持体の周方向の一方にいくにつれて狭くなるように、前記潜像保持体を被覆可能とされている。
【０００９】
本発明の請求項３に係る画像形成ユニットは、画像が形成される画像形成領域と画像が形成されない非画像形成領域とが外周面に形成された潜像保持体と、前記潜像保持体の外周面に接触し、前記潜像保持体の外周面を帯電可能な帯電部材と、前記潜像保持体の非画像形成領域に押し付けられた押付部と、前記帯電部材と前記潜像保持体との間に挿入され前記潜像保持体の画像形成領域を被覆する保護部と、前記保護部の端部に連結され前記押付部と前記潜像保持体の非画像形成領域との間に挿入され前記潜像保持体から引き抜かれる際の動摩擦力が前記保護部よりも高い高摩擦部と、を有し、前記潜像保持体の周方向に沿って引き抜き可能な保護シートと、を備える。
【００１０】
本発明の請求項４に係る画像形成ユニットは、請求項３の構成において、前記保護部の引き抜き方向下流側の端部は、前記潜像保持体の画像形成領域を被覆する被覆幅が引き抜き方向下流にいくにつれて狭くなる。
【００１１】
本発明の請求項５に係る画像形成ユニットは、請求項３又は請求項４の構成において、前記保護部の引き抜き方向下流側の端部は、前記保護部が前記潜像保持体と前記帯電部材との間から前記潜像保持体の周方向に沿って引き抜かれるにつれて前記潜像保持体と前記帯電部材との接触幅が広くなる形状に形成されている。
【００１２】
本発明の請求項６に係る画像形成ユニットは、請求項３〜５のいずれか１項の構成において、前記保護部の引き抜き方向下流端から前記高摩擦部の引き抜き方向下流端までの引き抜き方向長さは、前記潜像保持体と前記帯電部材との接触部の引き抜き方向上流端から前記潜像保持体と前記押付部との接触部の引き抜き方向上流端までの周長よりも長い。
【００１３】
本発明の請求項７に係る画像形成ユニットは、請求項３〜６のいずれか１項の構成において、前記保護部が前記潜像保持体と前記帯電部材との間から引き抜かれた際においても、前記高摩擦部が前記押付部と前記潜像保持体の非画像形成領域との間に挿入される位置に配置されている。
【００１４】
本発明の請求項８に係る画像形成ユニットは、請求項３〜７のいずれか１項の構成において、前記帯電部材は、前記潜像保持体に接触するロール部と、前記ロール部の軸方向両端部に設けられた軸部とを備えて構成され、前記高摩擦部は、前記ロール部の軸方向幅よりも外側に対応する位置に配置されている。
【００１５】
本発明の請求項９に係る画像形成ユニットは、請求項３〜８のいずれか１項の構成において、前記帯電部材は、前記潜像保持体に接触するロール部と、前記ロール部の軸方向両端部に設けられた軸部とを備えて構成され、前記保護シートが前記潜像保持体の周方向に沿って引き抜かれた際に、前記高摩擦部が前記軸部と前記潜像保持体との間を通過する位置に配置されている。
【発明の効果】
【００１６】
本発明の請求項１の構成によれば、高摩擦部を有さない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００１７】
本発明の請求項２の構成によれば、本構成を有していない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００１８】
本発明の請求項３の構成によれば、高摩擦部を有さない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００１９】
本発明の請求項４の構成によれば、本構成を有していない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００２０】
本発明の請求項５の構成によれば、本構成を有していない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００２１】
本発明の請求項６の構成によれば、本構成を有していない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００２２】
本発明の請求項７の構成によれば、本構成を有していない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００２３】
本発明の請求項８の構成によれば、本構成を有していない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【００２４】
本発明の請求項９の構成によれば、本構成を有していない場合に比べ、帯電部材と潜像保持体との間に挟まれた保護シートを引き抜く際に生じる保護シートと潜像保持体の画像形成領域との摩擦及び帯電部材と潜像保持体の画像形成領域との摩擦を低減できる。
【図面の簡単な説明】
【００２５】
【図１】図１は、本実施形態に係る画像形成ユニットの構成を示す概略斜視図である。
【図２】図２は、本実施形態に係る保護シートの構成を示す概略図である。
【図３】図３は、本実施形態に係る保護部本体の引き抜き方向下流側の端部の形状を変えた変形例を示す概略図である。
【図４】図４は、本実施形態に係る保護部本体の引き抜き方向下流側の端部の形状を変えた変形例を示す概略図である。
【図５】図５は、本実施形態に係る保護部本体の引き抜き方向下流側の端部の形状を変えた変形例を示す概略図である。
【図６】図６は、本実施形態に係る保護シートが感光体ドラムの露出部を覆った状態を示す概略図である。
【図７】図７は、本実施形態に係る保護シートが感光体ドラムの露出部上から外された状態を示す概略図である。
【図８】図８は、本実施形態に係る保護シートが引き抜かれる状態を示す概略図である。
【図９】図９は、本実施形態に係る保護シートが、感光体ドラムと帯電ロールとの挟まれた状態及び感光体ドラムとサイドシールに挟まれた状態を示す展開図である。
【図１０】図１０は、押付部として押付部材を用いた構成において、保護シートが感光体ドラムの露出部を覆った状態を示す概略図である。
【図１１】図１１は、押付部として押付部材を用いた構成において、保護シートが感光体ドラムの露出部上から外された状態を示す概略図である。
【図１２】図１２は、押付部として押付部材を用いた構成において、保護シートが引き抜かれる状態を示す概略図である。
【発明を実施するための形態】
【００２６】
以下に、本発明に係る実施形態の一例を図面に基づき説明する。
（本実施形態に係る画像形成ユニットの構成）
まず、本実施形態に係る画像形成ユニットの構成を説明する。図１は、本実施形態に係る画像形成ユニットの構成を示す概略斜視図である。
【００２７】
本実施形態に係る画像形成ユニット１０は、図１に示すように、潜像を保持する潜像保持体の一例としての感光体ドラム１２を備えている。この感光体ドラム１２は、図示しない支持部に回転可能に支持されている。感光体ドラム１２の外周面には、画像（トナー画像）が形成される画像形成領域Ｇと、画像（トナー画像）が形成されない非画像形成領域Ｈとが形成されている。画像形成領域Ｇは、感光体ドラム１２の軸方向中央部に形成され、非画像形成領域Ｈは、感光体ドラム１２の軸方向両端部に形成されている。
【００２８】
なお、潜像保持体としては、感光体ドラムに限られず、例えば、ベルト状に形成された感光体ベルトであってもよく、潜像を保持するものであればよい。
【００２９】
感光体ドラム１２の下方には、感光体ドラム１２の外周面に接触し、感光体ドラム１２の外周面を帯電可能な帯電部材の一例としての帯電ロール１４が設けられている。この帯電ロール１４は、収容部の一例としての収容フレーム１６に収容されている。また、帯電ロール１４は、収容フレーム１６に加圧部材によって支持された軸受け部材(図示せず)によって回転可能に支持されている。
【００３０】
帯電ロール１４は、感光体ドラム１２の画像形成領域Ｇに接触してこの画像形成領域Ｇを帯電させるロール部１４Ａと、このロール部１４Ａの軸方向両端部に配置されロール部１４Ａよりも径が小さい軸部１４Ｂと、を備えている。ロール部１４Ａは、図示しない加圧手段により感光体ドラム１２へ加圧されている。軸部１４Ｂは、感光体ドラム１２の非画像形成領域Ｈ上に配置されると共に、感光体ドラム１２に非接触となっている。
【００３１】
なお、帯電部材としては、帯電ロールに限られず、例えば、ベルト状に形成された帯電ベルトであってもよく、潜像保持体を帯電するものであればよい。
【００３２】
感光体ドラム１２の側方（図３における左側方）には、感光体ドラム１２の画像形成領域Ｇに接触し、感光体ドラム１２に付着したトナーを除去する除去する除去部材の一例としてのクリーニングブレード１８が設けられている。このクリーニングブレード１８は、感光体ドラム１２に付着したトナーを掻き取ることにより、そのトナーを除去するようになっている。
【００３３】
クリーニングブレード１８の幅方向両側には、クリーニングブレード１８を間に挟むように、感光体ドラム１２の非画像形成領域Ｈに押し付けられた押付部の一例としてのサイドシール２０が設けられている。このサイドシール２０は、クリーニングブレード１８が掻き取ったトナーが、クリーニングブレード１８の幅方向両側からもれるのを抑制するためのものである。
【００３４】
ここで、本実施形態に係る画像形成ユニット１０は、例えば、工場から出荷される未使用の状態においては、後述の保護シート２２が感光体ドラム１２の外周面上に装着されており（図３参照）、この装着された保護シート２２が除去されて使用される。
【００３５】
（本実施形態に係る保護シートの構成）
次に、本実施形態に係る保護シートの構成を説明する。図２は、本実施形態に係る保護シートの構成を示す概略図である。
【００３６】
本実施形態に係る保護シート２２は、上述した画像形成ユニット１０の感光体ドラム１２に装着可能とされており、感光体ドラム１２の画像形成領域Ｇを保護するために用いられる。この保護シート２２は、湾曲可能とされており、感光体ドラム１２の外周面に巻かれて、感光体ドラム１２の外周面を被覆することが可能となっている（図３参照）。
【００３７】
以下に、保護シート２２が感光体ドラム１２に巻かれた際に、感光体ドラム１２の軸方向に沿う方向を保護シート２２の幅方向とし、感光体ドラム１２の周方向に沿う方向を保護シート２２の巻き方向として説明する。なお、巻き方向は、感光体ドラム１２に巻かれた保護シート２２が引き抜かれる引き抜き方向でもある。
【００３８】
保護シート２２は、図２に示すように、感光体ドラム１２の画像形成領域Ｇを被覆可能な保護部２４と、感光体ドラム１２から引き抜かれる際の動摩擦力が保護部２４よりも高い高摩擦部２６とを備えて構成されている。
【００３９】
保護部２４は、帯電ロール１４と感光体ドラム１２との間に挿入可能とされている。保護部２４は、感光体ドラム１２への露光を抑制するために、光を吸収する黒色にされている。
【００４０】
また、保護部２４は、感光体ドラム１２の画像形成領域Ｇを被覆するための保護部本体２４Ａと、保護部本体２４Ａと高摩擦部２６とを連結するための連結部２４Ｂと、を備えて構成されている。
【００４１】
保護部本体２４Ａの幅方向長さは、感光体ドラム１２の画像形成領域Ｇの軸方向長さよりも長くされており、保護部本体２４Ａは、感光体ドラム１２の画像形成領域Ｇの軸方向の全領域を被覆可能な大きさにされている。
【００４２】
保護部本体２４Ａの巻き方向長さは、感光体ドラム１２の画像形成領域Ｇの露出部分の周方向長さ以上の長さとされており、保護部本体２４Ａは、感光体ドラム１２の画像形成領域Ｇの露出部分の周方向の全領域を被覆可能な大きさにされている。
【００４３】
なお、ここでいう露出部分とは、画像形成ユニット１０の外側に露出した部分であり、画像形成ユニット１０の外側から光を当てた場合に露光する部分である。また、保護部本体２４Ａの巻き方向長さは、感光体ドラム１２の画像形成領域Ｇの全周を被覆可能な長さとされていても良いが、少なくとも、感光体ドラム１２の画像形成領域Ｇの露出部分の周方向の全領域を被覆可能な長さであれば良い。
【００４４】
保護部本体２４Ａは、幅方向両端の辺２５Ａ、２５Ｂが直線状に形成されている。この辺２５Ａ、２５Ｂは平行に延びている。
【００４５】
また、保護部本体２４Ａは、巻き方向一端の辺２５Ｃが直線状に形成されている。この辺２５Ｃは、保護シート２２の引き抜き方向の上流側の辺となる。
【００４６】
また、保護部本体２４Ａは、その一端部（巻き方向他端部）において感光体ドラム１２の画像形成領域Ｇを被覆する被覆幅が感光体ドラム１２の周方向の一方にいくにつれて狭くなるように、感光体ドラム１２を被覆可能とされている。
【００４７】
具体的には、引き抜き方向下流側の端部が、引き抜き方向下流側にいくにつれて、感光体ドラム１２の画像形成領域Ｇを被覆する被覆幅が引き抜き方向下流にいくにつれて狭くなっている。
【００４８】
より具体的には、保護部本体２４Ａは、巻き方向他端側が、幅方向中央部の頂点Ｃから辺２５Ａに向かって伸びると共に辺２５Ｃ側に傾斜する斜辺２５Ｄと、頂点Ｃから辺２５Ｂに向かって伸びると共に辺２５Ｃ側に傾斜する斜辺２５Ｅとで形成されている。この斜辺２５Ｄ及び斜辺２５Ｅによって、幅方向中央部が外側に突出する角部２５Ｆが形成されている。
【００４９】
すなわち、保護部本体２４Ａの巻き方向他端部（引き抜き方向下流側の端部）は、保護部本体２４Ａが感光体ドラム１２と帯電ロール１４との間から感光体ドラム１２の周方向に沿って引き抜かれるにつれて、感光体ドラム１２と帯電ロール１４との接触幅が広くなる形状に形成されている。図２に示す形状では、感光体ドラム１２と帯電ロール１４とは、軸方向両端部から接触し始め、軸方向両端部から中央部にかけて徐々に接触するようになる。
【００５０】
なお、保護部本体２４Ａの引き抜き方向下流側の端部の形状は、図３に示す形状であっても良い。この構成では、保護部本体２４Ａは、巻き方向他端側が、辺２５Ａから辺２５Ｂに向かって伸びると共に辺２５Ｃ側に傾斜する斜辺２５Ｇで形成されている。図３に示す形状では、感光体ドラム１２と帯電ロール１４とは、軸方向一端部から接触し始め、軸方向一端部から他端部にかけて徐々に接触するようになる。
【００５１】
また、保護部本体２４Ａは、図４に示すように、引き抜き方向下流側の端部が階段状に形成され、引き抜き方向下流側にいくにつれて、感光体ドラム１２との接触幅が段階的に狭くなる形状であってもよい。
【００５２】
また、保護部本体２４Ａは、図５に示すように、引き抜き方向下流端が、幅方向に沿った直線状の辺２５Ｈであっても良い。この辺は、辺２５Ｃと平行に延びることになる。
【００５３】
保護部２４の連結部２４Ｂは、保護部本体２４Ａの巻き方向他端から引き抜き方向下流側へ伸び出ている。連結部２４Ｂは、保護シート２２が感光体ドラム１２に巻かれた際に、感光体ドラム１２の非画像形成領域Ｈ上に配置されている。
【００５４】
高摩擦部２６は、保護部２４の連結部２４Ｂと一体に設けられており、保護部２４の引き向き方向下流側の端部に連結されている。高摩擦部２６は、例えば、ゴムなどの弾性シートで形成されている。
【００５５】
高摩擦部２６は、サイドシール２０と感光体ドラム１２の非画像形成領域Ｈとの間に挿入可能とされている。高摩擦部２６は、保護シート２２が感光体ドラム１２に巻かれた際に、保護部２４が帯電ロール１４と感光体ドラム１２に挿入された状態において、サイドシール２０と感光体ドラム１２の非画像形成領域Ｈとの間に挿入される位置に配置されている。
【００５６】
高摩擦部２６がサイドシール２０と感光体ドラム１２の非画像形成領域Ｈとの間に挿入されることにより、高摩擦部２６は、サイドシール２０によって感光体ドラム１２の非画像形成領域Ｈに押し付けられる。
【００５７】
保護部本体２４Ａの引き抜き方向下流端から高摩擦部２６の引き抜き方向下流端までの引き抜き方向長さＬ１（図２及び図９参照）は、感光体ドラム１２と帯電ロール１４との接触部Ｓ１の引き抜き方向上流端から感光体ドラム１２とサイドシール２０との接触部Ｓ２の引き抜き方向上流端までの周長Ｌ２（図６及び図９参照）よりも長くなっている。
【００５８】
すなわち、高摩擦部２６は、保護部２４が感光体ドラム１２と帯電ロール１４との間から引き抜かれた際においても、高摩擦部２６がサイドシール２０と感光体ドラム１２の非画像形成領域Ｈとの間に挿入される位置に配置されている。
【００５９】
また、高摩擦部２６は、ロール部１４Ａの軸方向幅よりも外側に対応する位置に配置されており、ロール部１４Ａと軸部１４Ｂとの境界の延長線上よりも外側に位置している。
【００６０】
すなわち、保護シート２２が感光体ドラム１２の周方向に沿って引き抜かれた際に、高摩擦部２６がロール部１４Ａと感光体ドラム１２との間を通過する位置に配置されている。
【００６１】
（本実施形態に係る画像形成ユニットの作用）
次に、本実施形態に係る画像形成ユニットの作用を説明する。
【００６２】
保護シート２２が装着された画像形成ユニット１０は、図６に示すように、保護シート２２が感光体ドラム１２の露出部を覆った状態とされている。この保護シート２２は、図７に示すように、感光体ドラム１２の露出部上から外される。この状態では、保護シート２２は、図９（Ａ）に示すように、帯電ロール１４と感光体ドラム１２との間に保護部２４が挟まれ、高摩擦部２６が感光体ドラム１２とサイドシール２０との間に挟まれている。
【００６３】
このように挟まれた保護シート２２は、図８に示すように、感光体ドラム１２の周方向に沿って引き抜かれ、画像形成ユニット１０が使用される。
【００６４】
保護シート２２が引き抜かれると、感光体ドラム１２へ加圧されている帯電ロール１４は、保護シート２２の保護部２４の移動に伴って従動する。
【００６５】
一方、感光体ドラム１２は、クリーニングブレード１８の接触による摩擦抵抗力があるものの、サイドシール２０によって押し付けられた高摩擦部２６の移動に伴って従動する。
【００６６】
保護シート２２がさらに引き抜かれ、保護部２４が感光体ドラム１２と帯電ロール１４との間から引き抜かれるにつれて、感光体ドラム１２と帯電ロール１４との接触幅が広くなる。
【００６７】
これにより、帯電ロール１４と感光体ドラム１２は、徐々につれ回り始めるため、保護部２４が帯電ロール１４と感光体ドラム１２との間から完全に引き抜かれた際にも、感光体ドラム１２と帯電ロール１４とはつれ回りする。
【００６８】
また、保護部２４が帯電ロール１４と感光体ドラム１２との間から引き抜かれた際においても、図９（Ｂ）に示すように、サイドシール２０と感光体ドラム１２の非画像形成領域Ｈとの間に挿入される高摩擦部２６に感光体ドラム１２が従動して回転する。
【００６９】
また、保護シート２２が引き抜かれる際には、高摩擦部２６は、帯電ロール１４の軸部１４Ｂと感光体ドラム１２との間を通過する。
【００７０】
以上のように、保護シート２２、感光体ドラム１２及び帯電ロール１４が動作することにより、保護シート２２、感光体ドラム１２及び帯電ロール１４の速度差の発生が抑制される。
【００７１】
なお、上記の画像形成ユニット１０では、押付部としてサイドシール２０が用いたが、これに限られず、種々の部材を用いることができる。押付部を配置する位置は、感光体ドラム１２の外周のいずれの位置に設置しても良い。
【００７２】
なお、高摩擦部２６は、押付部の位置により保護シート２２の配置位置が設定される。すなわち、高摩擦部２６は、保護シート２２が感光体ドラム１２に巻かれた際に、保護部２４が帯電ロール１４と感光体ドラム１２に挿入された状態において、サイドシール２０と感光体ドラム１２の非画像形成領域Ｈとの間に挿入される位置に配置されている。さらに、高摩擦部２６は、保護部２４が感光体ドラム１２と帯電ロール１４との間から引き抜かれた際においても、高摩擦部２６がサイドシール２０と感光体ドラム１２の非画像形成領域Ｈとの間に挿入される位置に配置するようにしてもよい。
【００７３】
押付部としては、例えば、図１０に示すように、帯電ロール１４が収容された収容フレーム１６に設けられた押付部材３０であってもよい。
【００７４】
押付部材３０は、帯電ロール１４よりも保護シート２２の引き抜き方向下流側に配置されている。なお、サイドシール２０も、帯電ロール１４よりも保護シート２２の引き抜き方向下流側に配置されているが、押付部材３０の方がサイドシール２０よりも帯電ロール１４に近接した位置に配置されている。
【００７５】
押付部材３０は、図示しない加圧手段により感光体ドラム１２に加圧されて押し付けられている。感光体ドラム１２に装着された保護シート２２は、保護部２４が、帯電ロール１４と感光体ドラム１２との間に挿入されると共に感光体ドラム１２の画像形成領域Ｇを被覆し、高摩擦部２６が押付部材３０と感光体ドラム１２の非画像形成領域Ｈとの間に挿入されている。なお、保護シート２２は、高摩擦部２６が押付部材３０から垂れ下がっている。
【００７６】
この構成においても、まず、保護シート２２は、図１１に示すように、感光体ドラム１２の露出部上から外される。この状態では、保護シート２２は、帯電ロール１４と感光体ドラム１２との間に保護部２４が挟まれ、高摩擦部２６が感光体ドラム１２と押付部材３０との間に挟まれている。
【００７７】
このように挟まれた保護シート２２は、図１２に示すように、感光体ドラム１２の周方向に沿って引き抜かれ、画像形成ユニット１０が使用される。
【００７８】
保護シート２２が引き抜かれると、感光体ドラム１２へ加圧されている帯電ロール１４は、保護シート２２の保護部２４の移動に伴って従動する。
【００７９】
一方、感光体ドラム１２は、クリーニングブレード１８の接触による摩擦抵抗力があるものの、押付部材３０によって押し付けられた高摩擦部２６の移動に伴って従動する。
【００８０】
また、保護部２４が帯電ロール１４と感光体ドラム１２との間から引き抜かれた際においても、押付部材３０と感光体ドラム１２の非画像形成領域Ｈとの間に挿入される高摩擦部２６に感光体ドラム１２が従動して回転する。
【００８１】
以上のように、保護シート２２、感光体ドラム１２及び帯電ロール１４が動作することにより、保護シート２２、感光体ドラム１２及び帯電ロール１４の速度差の発生が抑制される。
【００８２】
本発明は、上記の実施形態に限るものではなく、種々の変形、変更、改良が可能である。
【符号の説明】
【００８３】
１０   画像形成ユニット
１２   感光体ドラム
１４Ａ ロール部
１４Ｂ 軸部
１４   帯電ロール
２０   サイドシール（押付部）
２２   保護シート
２４   保護部
２６   高摩擦部
３０   押付部材（押付部）
【図１】
2010197733.tif 000003
【図２】
2010197733.tif 000004
【図３】
2010197733.tif 000005
【図４】
2010197733.tif 000006
【図５】
2010197733.tif 000007
【図６】
2010197733.tif 000008
【図７】
2010197733.tif 000009
【図８】
2010197733.tif 000010
【図９】
2010197733.tif 000011
【図１０】
2010197733.tif 000012
【図１１】
2010197733.tif 000013
【図１２】
2010197733.tif 000014